(57)【特許請求の範囲】
【請求項１】
多数の映像データとそれら各映像データに対応して付されているタイムコードとが記録されている光ディスクから、そのタイムコードを基に光ピックアップを光ディスク上に記録されている目標とする映像データの記録トラックの近傍に粗シークで駆動させる駆動手段と、
前記粗シークにより前記光ピックアップが前記目標とする映像データの記録トラックの近傍の許容範囲内に到達しなかった場合に、前記目標とする映像データの記録トラックに向かって前記光ピックアップを更に中粗シークで駆動させる駆動手段と、
前記粗シーク或いは中粗シークにより前記光ピックアップが前記目標とする映像データの記録トラックの近傍の許容範囲内に到達した場合に、前記目標とする映像データの前記許容範囲内近傍の１フレームをインデックスシーンとして読み出す手段と
から構成されていることを特徴とする光ディスク装置。
【発明の詳細な説明】
【０００１】
【発明の属する技術分野】
本発明は、光ディスクに記録された映像信号を編集するための機能を備えた光ディスク装置に関するものである。
【０００２】
【従来の技術】
先ず、図６乃至図９を参照しながら、この種の従来技術の光ディスク装置を説明する。
図６は映像データとタイムコードが記録されている状態を説明するための光ディスクの平面図であり、図７は光ディスク上に記録された映像データの配列を示す説明図であり、図８は従来技術の光ディスク装置の編集機能を説明するためのフローチャートであり、そして図９は従来技術の光ディスク装置における編集時の光ピックアップの動作説明図である。
【０００３】
近年、ニュース取材などに光ディスクレコーダが用いられているが、その光ディスクレコーダを用いて映像データなどを光ディスクに記録する場合、各カットの撮り始めや撮り終わり、或いは任意のシーンのタイムコードを記録しておき、編集時にそれらのタイムコードが示す１フレームの映像だけをインデックスシーンとして読み出し、映像表示装置の画面に一覧として表示することが最近よく行われている。
【０００４】
映像データとタイムコードとが光ディスク上に記録されている状態を図６に示した。映像データは光ディスクＤの映像エリアＥｖの外周部から内周部へ渦巻き状のトラック或いは環状のトラックを形成しながら記録されてゆき、インデックスシーンを示すタイムコードは映像エリアとは別の光ディスクＤの中央部に設けられたインデックス情報エリアＥｔに記録される。
【０００５】
このように光ディスクレコーダで多量の映像データが前記光ディスクＤ上に記録される。その後、それらの映像データを編集する場合には、この記録済み光ディスクＤを編集機能を備えた光ディスク装置で編集される。即ち、前記記録済み光ディスクＤを光ディスク装置にセットし、先ず、初めにインデックスシーンを示すタイムコード情報を光ピックアップで読み出す。その後、光ピックアップを粗シークで駆動して、これらのタイムコードに相当するシーンのトラックへジャンプさせ、そこに記録されている１フレームの映像データをインデックスシーンとして読み出す。
【０００６】
その際、目標とする映像の１フレームを正確に表示するためには、光ピックアップで光ディスクを正確にシークしなければならない。この場合、それぞれのインデックスシーンを読み出すために、１シーク処理に多くの時間がかかり、全てのインデックスシーンを読み出すには、余りにも多くの時間が掛かっていた。
前記目標とする映像の１フレームを正確に読み出すために光ピックアップをシークさせる手段は、例えば、株式会社ラジオ技術社発行の「光ディスク技術」の第１５９頁、「１・３サーボ制御系、（４）シーク・サーボ系」以下に記載され、そしてその第１６１頁、図１・２１０に掲載されている「シーク・サーボ系のブロック線図」のシーク・サーボ駆動機構で行われている。
【０００７】
このシークの動作を図６乃至図９を用いて説明する。光ディスクＤの映像エリアＥｖに、１フレームの映像データを１トラックに記録するフォーマットで記録されており、映像信号はＮＴＳＣ方式であるとする。図７は、その光ディスクＤの映像エリアＥｖにタイムコード毎にシーン１、シーン２・・・と順次トラックに記録されている映像データを示している。
【０００８】
このような光ディスクＤから指定したタイムコードのシーンの映像データを読み出すには、前記のように、そのタイムコードに相当するトラックへ光ピックアップをジャンプさせて、そこに記録されている１フレームの映像データを読み取らす。
しかし、指定のトラックへ正確にジャンプさせるには、図８及び図９に示したような手順を踏まなければならない。
【０００９】
一例として、現在、光ピックアップが１００番目（トラックＮｏ．１００、以下同様）のトラックを読んでいるとする。この１００番目のトラックを読み取った後、次に１０００番目のトラックを読み出すものとする。
その光ピックアップが９００トラック分のジャンプをする場合、トラバースカウンタ（トラックを何本飛び越えたかをカウントする装置）でカウントしながら粗動モータを作動し、始めの１００トラックは、加速しながらジャンプさせ、次の７００トラックは一定速度で光ピックアップをジャンプさせる。そして、トータル８００トラック、ジャンプした当たりで減速し始め、１００トラック進んだところで一旦光ピックアップのジャンプを止めて（粗シーク、ステップＳＴ１）、アドレスを読み取らせてみる（ＳＴ２）。
【００１０】
しかし、光ピックアップを高速でジャンプさせると、トラバースカウンタの計数に誤差が生じ、光ピックアップは目標とする指定のトラックへ正確にジャンプできず、その近傍へのジャンプに留まる場合が生じる。このような場合は、その後、光ピックアップを目標とする指定のトラックへ移動させるために、トラッキング・アクチュエータを作動させ、誤差分だけ数トラック或いは１トラックづつのジャンプを繰り返さす（微細シーク、ＳＴ３）。
【００１１】
そして、光ピックアップが目標とする指定トラックへ正確にジャンプでき、トラッキングして、その映像データの１フレームの頭出しされると（ＳＴ４）、その１フレームを再生させ（ＳＴ１）、このようにして、目標とした１指定の１フレームの映像データを読み取りが終了する。
【００１２】
【発明が解決しようとする課題】
以上説明したように、目標とする映像フレームを正確にシークするには、そのシーク処理に時間かかり、全ての目標とするインデックスシーンを読み出すには、余りにも多くの時間が掛かるという問題がある。
【００１３】
本発明はこのような問題点を解決することを課題とするものであって、正確なタイムコードの指し示すフレーム映像データでなくても、その指定されたタイムコードの近傍の１フレームであれば、実用上ほぼ同等の映像データが記録されているため、代わりにそれらの映像データを１フレームづつ読み出してインデックス映像としても、事実上、差し障りがないことに着目し、各シーンの１フレームを高速で読み出して編集するという機能を備えた光ディスク装置を得ることを目標とする。
【００１４】
【課題を解決するための手段】
従って、本発明における光ディスク装置は、多数の映像データとそれら各映像データに対応して付されているタイムコードとが記録されている光ディスクから、そのタイムコードを基に光ピックアップを光ディスク上に記録されている目標とする映像データの記録トラックの少し手前まで粗シークで駆動させる駆動手段と、前記粗シークにより前記光ピックアップが前記目標とする映像データの記録トラックの近傍の許容範囲内に到達しなかった場合に、前記目標とする映像データに向かって前記光ピックアップを更に中粗シークで駆動させる駆動手段と、前記粗シーク或いは中粗シークにより前記光ピックアップが前記目標とする映像データの記録トラックの近傍の許容範囲内に到達した場合に、前記目標とする映像データの前記許容範囲内近傍の１フレームをインデックスシーンとして読み出す手段とから構成して、前記課題を解決している。
【００１５】
従って、本発明によれば、目標とする映像フレームと実用上同等の、その近傍の映像データを読み出し、その読み出した映像フレームの１フレームをインデックスシーンとしたため、多数の目標とする映像データのインデックスシーンを高速で読み出し、編集作業時間を短縮させることができる。
【００１６】
【発明の実施の形態】
次に、図１乃至図５を参照しながら、本発明の光ディスク装置を説明する。
図１は本発明の光ディスク装置の編集機能を説明するためのフローチャートであり、図２は本発明の光ディスク装置による或るシーンの撮り始めのインデックスシーンを読み出す手法を説明するための光ピックアップの動作説明図であり、図３は本発明の光ディスク装置による或るシーンの撮り終わりのインデックスシーンを読み出す手法を説明するための光ピックアップの動作説明図であり、図４は本発明の光ディスク装置による或るシーンの任意のシーンのインデックスシーンを読み出す手法を説明するための光ピックアップの動作説明図であり、そして図５は図２に示した或るシーンの撮り始めのインデックスシーンを読み出す場合の具体例を示す光ピックアップの動作説明図である。
【００１７】
先ず、図１及び図２を用いて本発明の光ディスク装置における目標とするインデックスシーンを読み出す場合に光ピックアップの動作を説明する。
図２に示した或るシーンの記録開始インデックスシーンＩｓを読み出す場合には、映像データを収録した光ディスクＤの前記インデックス情報エリアＥｔに記録しておいたタイムコード情報を下に、それが前記シーンの記録開始であることを検知して、光ピックアップを従来技術と同様にトラバースカウンタでトラックをカウントしながら粗動モータを作動し、粗シークさせ、現在の位置から目標とする記録開始インデックスシーンＩｓから１秒（３０フレーム）後までの間のトラックへジャンプさせる（ＳＴ１）。そしてそのトラックのアドレスを読み取らせてみる（ＳＴ２）。
【００１８】
前記のようにトラバースカウンタの計数に誤差が生じ、光ピックアップが目標とする前記の記録開始インデックスシーンＩｓから１秒（３０フレーム）後までの間のトラック範囲内にジャンプしていない場合には、その後、この範囲内に入るように更に粗動モータを作動させて光ピックアップを中粗シークさせる（ＳＴ３）。
そして前記目標とする範囲内に入ったことを、そのトラックのアドレスを読み出すことによって判断し、目標とする範囲内に入っているならば、そのトラックの映像フレームの頭が出るまで光ディスクＤの回転を待ち（ＳＴ４）、そのトラックの映像フレームを読み出してインデックスシーンとする（ＳＴ５）。
【００１９】
具体的には、撮り始めの記録開始インデックスシーンＩｓから０．５秒を中心とする±０．５秒（±１５フレーム）のいずれかの１フレームを読み出してインデックスシーンとする。
【００２０】
次に、或るシーンの記録終了インデックスシーンＩｅを読み出す場合には、前記インデックス情報エリアＥｔに記録しておいたタイムコード情報を下に、それが前記シーンの記録終了であることを検知して、図１に示したフローチャートに従って光ピックアップを粗シークさせ、図３に示したように、現在の位置から目標とする記録終了インデックスシーンＩｅ前までのいずれかの１フレームをインデックスシーンとして読み出す。
具体的には、撮り終わりの記録終了インデックスシーンＩｅから０．５秒前を中心とする±０．５秒（±１５フレーム）のいずれかの１フレームを読み出してインデックスシーンとする。
【００２１】
次に、前記インデックス情報エリアＥｔから読み出したタイムコード情報が或るシーンの任意のインデックスである場合には、、図４に示したように、その目標とする任意のインデックスシーンＩａを中心とする±０．５秒（±１５フレーム）のいずれかの１フレームを読み出してインデックスシーンとする。
【００２２】
以上説明した本発明の光ディスク装置によりインデックスシーンを読み出す場合の具体例として、前記或るシーンの撮り始めのインデックスシーンの読み出す場合を採り上げて説明する。
図５に示したように、例えば、１：１２：４０：１１（１時間１２分４０秒の１１フレーム目）という撮り始めシーンのインデックスシーンを読み出す場合には、そのタイムコードから＋１５フレーム後の１：１２：４０：２６というタイムコードを狙って光ピックアップをジャンプさせ、±１５フレーム以内（ここでは、１フレームが１トラックであるため、目標とするトラック±１５トラック以内）、つまり、１：１２：４０：１１（トラックＮｏ．１２９６１１）〜１：１２：４１：１１（トラックＮｏ．１２９６４１）の間にジャンプしておれば、そのジャンプした先のトラックの映像データを読み取って、それをインデックスシーンとすることができる。
【００２３】
【発明の効果】
以上、説明したように、本発明の光ディスク装置によれば、実用上同等のインデックスシーンを読み出すことができ、そして従来技術の光ディスク装置に比し、所望の映像データのインデックスシーンを表示装置の画面に一覧表示する編集作業時間を半分程度と大幅に削減することができるなど数々の優れた効果が得られる。
【図面の簡単な説明】
【図１】  本発明の光ディスク装置の編集機能を説明するためのフローチャートである。
【図２】  本発明の光ディスク装置による或るシーンの撮り始めのインデックスシーンを読み出す手法を説明するための光ピックアップの動作説明図である。
【図３】  本発明の光ディスク装置による或るシーンの撮り終わりのインデックスシーンを読み出す手法を説明するための光ピックアップの動作説明図である。
【図４】  本発明の光ディスク装置による或るシーンの任意のシーンのインデックスシーンを読み出す手法を説明するための光ピックアップの動作説明図である。
【図５】  図２に示した或るシーンの撮り始めのインデックスシーンを読み出す場合の具体例を示す光ピックアップの動作説明図である。
【図６】  映像データとタイムコードとが記録されている状態を説明するための光ディスクの平面図である。
【図７】  光ディスク上に記録された映像データの配列を示す説明図である。
【図８】  従来技術の光ディスク装置の編集機能を説明するためのフローチャートである。
【図９】  従来技術の光ディスク装置における編集時の光ピックアップの動作説明図である。
【符号の説明】
Ｉｓ…記録開始インデックスシーン、Ｉｅ…記録終了インデックスシーン、Ｉａ…任意のインデックスシーン、Ｄ…光ディスク、Ｅｖ…映像エリア、Ｅｔ…インデックス情報エリア
【図１】
0003671557.tif 000002
【図２】
0003671557.tif 000003
【図３】
0003671557.tif 000004
【図４】
0003671557.tif 000005
【図５】
0003671557.tif 000006
【図６】
0003671557.tif 000007
【図９】
0003671557.tif 000008
【図７】
0003671557.tif 000009
【図８】
0003671557.tif 000010